(57)【要約】【課題】クロック信号供給方法、当該クロック信号供給方法を用いたクロック信号供給装置および当該クロック信号供給装置を備えた画像形成装置において電磁波ノイズを抑制させてＥＭＩ問題の解決を図ることである。【解決手段】クロック信号供給装置１０は、複数位相のクロック信号を供給する位相クロック生成部１２と、回路ブロック２０ａ〜２０ｎの各々に供給するクロック信号を当該複数位相のクロック信号の中から各々個別に選択するための位相クロック選択部１３ａ〜１３ｎを備える。【選択図】          図２
2004164293.tif 000002
【特許請求の範囲】
【請求項１】
複数のクロック信号を、基板上に形成された複数の回路ブロックに個別的に供給するクロック信号供給方法であって、
前記複数の回路ブロックに対し、相対的に位相の異なるクロック信号を供給することを特徴とするクロック信号供給方法。
【請求項２】
前記複数の回路ブロックを偶数のグループに分け、当該偶数のグループのうち半数のグループに属する回路ブロックと残りの半数のグループに属する回路ブロックとで相対的に位相の異なるクロック信号を供給することを特徴とする請求項１に記載のクロック信号供給方法。
【請求項３】
前記クロック信号間の位相関係は互いに逆位相であることを特徴とする請求項２に記載のクロック信号供給方法。
【請求項４】
同一グループに属する回路ブロックの各々に供給する各クロック信号に、当該各クロック信号を当該各回路ブロックの各々に供給するための各供給ラインの長さに応じた位相差を持たせることを特徴とする請求項２または３に記載のクロック信号供給方法。
【請求項５】
複数のクロック信号を、基板上に形成された複数の回路ブロックに個別的に供給するクロック信号供給装置であって、
前記複数の回路ブロックに対し、相対的に位相の異なるクロック信号を供給することを特徴とするクロック信号供給装置。
【請求項６】
前記複数の回路ブロックが偶数のグループに分けられ、当該偶数のグループのうち半数のグループに属する回路ブロックと残りの半数のグループに属する回路ブロックとで相対的に位相の異なるクロック信号を供給することを特徴とする請求項５に記載のクロック信号供給装置。
【請求項７】
前記クロック信号を互いの位相関係が逆位相となるように供給することを特徴とする請求項６に記載のクロック信号供給装置。
【請求項８】
同一グループに属する回路ブロックの各々に供給する各クロック信号に、当該各クロック信号を当該各回路ブロックの各々に供給するための各供給ラインの長さに応じた位相差を持たせることを特徴とする請求項６または７に記載のクロック信号供給装置。
【請求項９】
入力された画像データを画像処理するための画像処理回路を備えた画像形成装置において、
前記画像処理回路は、基板上に形成された複数の回路ブロックに対し相対的に位相の異なるクロック信号を供給するクロック信号供給装置を備えたことを特徴とする画像形成装置。
【請求項１０】
前記複数の回路ブロックが偶数のグループに分けられ、前記クロック信号供給装置は、当該偶数のグループのうち半数のグループに属する回路ブロックと残りの半数のグループに属する回路ブロックとで相対的に位相の異なるクロック信号を供給することを特徴とする請求項９に記載の画像形成装置。
【請求項１１】
前記クロック信号供給装置は、前記クロック信号を互いの位相関係が逆位相となるように供給することを特徴とする請求項１０に記載の画像形成装置。
【請求項１２】
前記クロック信号供給装置は、同一グループに属する回路ブロックの各々に供給する各クロック信号に、当該各クロック信号を当該各回路ブロックの各々に供給するための各供給ラインの長さに応じた位相差を持たせることを特徴とする請求項１０または１１に記載の画像形成装置。
【発明の詳細な説明】
【０００１】
【発明の属する技術分野】
本発明は、電子機器におけるクロック信号供給方法、当該クロック信号供給方法を用いたクロック信号供給装置及び当該クロック信号供給装置を備えた画像形成装置に関する。
【０００２】
【従来の技術】
近時、電子機器を駆動するためのクロック信号が主な原因となって生じる電磁波ノイズ（ＥＭＩ；ＥｌｅｃｔｒｏＭａｇｎｅｔｉｃ  Ｉｎｔｅｒｆｅｒｅｎｃｅ）の抑制方法に多くの関心が集まっている。
【０００３】
このような電磁波ノイズを抑制するための対策としては、回路基板をシールド処理する方法が一般に知られているが、最近では、クロック信号自体を調整して電磁波ノイズを抑制させる方法が開発されている。
【０００４】
例えば、スペクトル拡散クロックと称される方法が知られている（例えば、特許文献１参照。）。このスペクトル拡散クロック法によれば、周波数変調のようにクロックの発信周波数を任意の周期で数パーセント変化させることにより、電磁波ノイズのスペクトルのピーク値が減少可能となる。
【０００５】
また、電磁波ノイズの主成分であるクロック信号の高調波成分を予め減衰処理して略サイン波形に整形した後に回路に供給する方法なども知られている（例えば、特許文献２参照。）。
【０００６】
また、電子機器が４個の回路ブロックを並列実装するような場合、位相が９０度ずつ順次シフトされた互いに異なる４種のクロック信号を当該４個の回路ブロックに各々供給する方法が開発されている（例えば、特許文献３参照。）。この方法によれば、これら４種のクロック信号が供給される各回路ブロックから放射される電磁波ノイズは互いに相殺されて抑制される。
【０００７】
【特許文献１】
特開平９―９８１５２号公報（第４―７頁、第１―６図）
【特許文献２】
特開２００１―１６６８４４号公報（第３―４頁、第１―９図）
【特許文献３】
特開２０００―２５５１０９号公報（第３―４頁、第１―１２図）
【０００８】
【発明が解決しようとする課題】
しかしながら、上記従来の技術には、以下のような問題点がある。まず、特許文献１記載のスペクトル拡散クロック法を用いた技術では、クロック信号の周波数の変動が電子機器の動作に直接影響を及ぼすような電子機器に適用するのは困難である。例えば、プリンタは、クロック周期が印字位置に影響するのでスペクトル拡散クロック法の適用が困難となる。更に、この場合、周波数の変調が原因で電磁波ノイズが発生する可能性が生じる。
【０００９】
また、特許文献２記載の技術では、高調波成分の減衰処理によりクロック信号がエッジ傾斜されるため、電子機器の動作に直接影響を及ぼす可能性が生じる。更に、この場合、減衰された高調波成分を有するクロック信号は、機器回路内を伝送中に波形整形され、結局、高調波成分が再生されてしまう可能性があるため、電磁波ノイズに対する十分な抑制効果が期待できない。
【００１０】
また、特許文献３記載の技術では、複数の回路が同一であっても、実際には互いの位置関係や配置などが若干異なるため、電磁波ノイズの位相差も場所により一定でなくなり、このため、電磁波ノイズの相殺が十分に行われない可能性が生じる。
【００１１】
本発明の課題は、電磁波ノイズを抑制させるためのクロック信号供給方法、当該クロック信号供給方法を用いたクロック信号供給装置および当該クロック信号供給装置を備えた画像形成装置を提供して、ＥＭＩ問題の解決を図ることである。
【００１２】
【課題を解決するための手段】
上記課題を解決するため、請求項１に記載の発明は、
複数のクロック信号を、基板上に形成された複数の回路ブロックに個別的に供給するクロック信号供給方法であって、
前記複数の回路ブロックに対し、相対的に位相の異なるクロック信号を供給することを特徴とする。
【００１３】
さらに、請求項２に記載の発明のように、請求項１に記載の発明において、
前記複数の回路ブロックを偶数のグループに分け、当該偶数のグループのうち半数のグループに属する回路ブロックと残りの半数のグループに属する回路ブロックとで相対的に位相の異なるクロック信号を供給するのが好ましい。
【００１４】
さらに、請求項３に記載の発明のように、請求項２に記載の発明において、
前記クロック信号間の位相関係は互いに逆位相であるのが好ましい。
【００１５】
さらに、請求項４に記載の発明のように、請求項２または３に記載の発明において、
同一グループに属する回路ブロックの各々に供給する各クロック信号に、当該各クロック信号を当該各回路ブロックの各々に供給するための各供給ラインの長さに応じた位相差を持たせるのが好ましい。
【００１６】
また、上記課題を解決するため、請求項５に記載の発明は、
複数のクロック信号を、基板上に形成された複数の回路ブロックに個別的に供給するクロック信号供給装置であって、
前記複数の回路ブロックに対し、相対的に位相の異なるクロック信号を供給することを特徴とする。
【００１７】
さらに、請求項６に記載の発明のように、請求項５に記載の発明において、
前記複数の回路ブロックが偶数のグループに分けられ、当該偶数のグループのうち半数のグループに属する回路ブロックと残りの半数のグループに属する回路ブロックとで相対的に位相の異なるクロック信号を供給するのが好ましい。
【００１８】
さらに、請求項７に記載の発明のように、請求項６に記載の発明において、
前記クロック信号を互いの位相関係が逆位相となるように供給するのが好ましい。
【００１９】
さらに、請求項８に記載の発明のように、請求項６または７に記載の発明において、
同一グループに属する回路ブロックの各々に供給する各クロック信号に、当該各クロック信号を当該各回路ブロックの各々に供給するための各供給ラインの長さに応じた位相差を持たせるのが好ましい。
【００２０】
また、上記課題を解決するため、請求項９に記載の発明は、
入力された画像データを画像処理するための画像処理回路を備えた画像形成装置において、
前記画像処理回路は、基板上に形成された複数の回路ブロックに対し相対的に位相の異なるクロック信号を供給するクロック信号供給装置を備えたことを特徴とする。
【００２１】
さらに、請求項１０に記載の発明のように、請求項９に記載の発明において、前記複数の回路ブロックが偶数のグループに分けられ、前記クロック信号供給装置は、当該偶数のグループのうち半数のグループに属する回路ブロックと残りの半数のグループに属する回路ブロックとで相対的に位相の異なるクロック信号を供給するのが好ましい。
【００２２】
さらに、請求項１１に記載の発明のように、請求項１０に記載の発明において、
前記クロック信号供給装置は、前記クロック信号を互いの位相関係が逆位相となるように供給するのが好ましい。
【００２３】
さらに、請求項１２に記載の発明のように、請求項１０または１１に記載の発明において、
前記クロック信号供給装置は、同一グループに属する回路ブロックの各々に供給する各クロック信号に、当該各クロック信号を当該各回路ブロックの各々に供給するための各供給ラインの長さに応じた位相差を持たせるのが好ましい。
【００２４】
したがって、各回路ブロック毎にクロック信号の位相を調整し当該回路ブロック毎に生じる電磁波ノイズを相殺するので、電磁波ノイズが十分に抑制されてＥＭＩ問題の解決が図られる。
さらに、クロック信号の周波数を変化させずに位相のみを変化させるので、クロック周期の変化が電子機器動作に影響を及ぼすような電子機器に対しても適用できる。
さらに、高調波成分に対する減衰処理を行わずクロック信号にエッジ傾斜を生じさせないので、当該クロック信号のエッジ傾斜が原因となる誤動作が回避できる。
【００２５】
【発明の実施の形態】
以下、図１〜図４を参照して本発明を適用した実施の形態について説明する。まず、図１を参照して本発明を適用した画像形成装置１００の構成を説明する。
【００２６】
図１に示すように、画像形成装置１００は、統括的制御手段としてのＣＰＵ１０１、画像処理回路１０２、画像メモリ１０３、スキャナ１０４、プリンタ１０５、ＦＡＸ（ファクシミリ）１０６、通信Ｉ／Ｆ１０７などを備えて構成される。
【００２７】
ＣＰＵ１０１は、図示しないＲＯＭなどの内蔵メモリに格納された画像形成のための各種プログラムを実行して画像形成装置１００を制御する。例えば、ＣＰＵ１０１は、スキャナ１０４から出力された画像データやネットワークを介して通信Ｉ／Ｆ１０７から取得した画像データを画像処理回路１０２において予め画像処理し、当該処理済画像データを画像メモリ１０３に格納したり、プリンタ１０５を用いて印刷したり、あるいはＦＡＸ１０６を用いてファクシミリ送信する。また、ＣＰＵ１０１は、スキャナ１０４から出力された画像データや通信Ｉ／Ｆ１０７から取得した画像データと共に、画像処理回路１０２において画像処理された処理済画像データを通信Ｉ／Ｆ１０７を介してネットワーク上に送信する。
【００２８】
画像処理回路１０２は、本発明を適用したクロック信号供給装置１０を備えると共に、図２に示す回路ブロック２０ａ〜２０ｎなどを基板上に備えて構成される。以下、詳述するが、画像処理回路１０２から生じる電磁波ノイズとなる輻射２はクロック信号供給装置１０によって十分に低減化される。
【００２９】
なお、回路ブロック２０ａ〜２０ｎの総数は、画像処理回路１０２の機能に応じて自由に設定可能である。また、回路ブロック２０ａ〜２０ｎの各々は、ＩＣ（Ｉｎｔｅｇｒａｔｅｄ  Ｃｉｒｃｕｉｔ）やＬＳＩ（Ｌａｒｇｅ  Ｓｃａｌｅ  Ｉｎｔｅｇｒａｔｅｄ  Ｃｉｒｃｕｉｔ）などを単位として構成された回路ブロックであり、回路ブロック２０ａ〜２０ｎの各々に互いに異なった位相のクロック信号が供給されても画像処理回路１０２は正常に動作する。
【００３０】
画像処理回路１０２はＣＰＵ１０１やスキャナ１０４から入力された画像データをＣＰＵ１０１からの制御信号に基づいて画像処理する。画像メモリ１０３は各種画像データを読み出し可能に格納し、スキャナ１０４は原稿から画像の読み取りを行って画像データを出力し、プリンタ１０５は画像処理回路１０２やＣＰＵ１０１から入力された画像データに対し印刷処理を行う。
【００３１】
ＦＡＸ１０６は、電話回線やＩＳＤＮ回線等の公衆通信回線に接続され、ＣＰＵ１０１から入力された画像データをファクシミリ送信したり、受信した画像データをプリント処理する。
【００３２】
通信Ｉ／Ｆ１０７は、ネットワークに接続してデータの送受信を行う。例えば、通信Ｉ／Ｆ１０７は、電話回線やＩＳＤＮ回線等の公衆通信回線に接続してデータの送受信を行うための図示しないモデム（ＭＯＤＥＭ：ＭＯｄｕｌａｔｏｒ／ＤＥＭｏｄｕｌａｔｏｒ）またはターミナルアダプタ（ＴＡ：Ｔｅｒｍｉｎａｌ  Ａｄａｐｔｅｒ）等を備える。また、通信Ｉ／Ｆ１０７は、ＬＡＮボードを備えたり、あるいはＰＣカードを着脱自在に備える構成であっても良い（何れも図示略。）。
【００３３】
次に、クロック信号供給装置１０の構成を説明する。図２に、クロック信号供給装置１０の内部構成を示す。
【００３４】
図２に示すように、クロック信号供給装置１０は、基準クロック信号Ａを出力する基準信号出力部１１と、位相クロック生成部１２と、位相クロック選択部１３ａ〜１３ｎと、制御部１４と、記憶部１５とを備えて構成される。
【００３５】
位相クロック生成部１２は、例えば複数のインバータ（図示略。）によって構成された遅延回路であり、入力信号の位相を所定間隔毎にシフトする（遅延させる）ことが可能である。すなわち、位相クロック生成部１２は、基準信号出力部１１から入力された基準クロック信号Ａに対して所定間隔毎に位相をシフトさせ（以下、基準クロック信号Ａに対して５度ずつ位相シフトして得られる７１通りの位相クロック信号Ｃ１〜Ｃ７１を用いて説明するが、これに限らない。）、当該７１通りの位相クロック信号Ｃ１〜Ｃ７１と基準クロック信号Ａとを位相クロック選択部１３ａ〜１３ｎの各々に送信する。
以下、位相クロック信号Ｃ１〜Ｃ７１および基準クロック信号Ａを区別せずにクロック信号と称する場合がある。この場合、位相クロック生成部１２から出力されるクロック信号の総数（すなわち、位相クロック信号Ｃ１〜Ｃ７１と基準クロック信号Ａの総数。）は７２である。
【００３６】
位相クロック選択部１３ａ〜１３ｎは、例えば複数の論理回路（図示略。）によって構成され、回路ブロック２０ａ〜２０ｎの各々に供給するクロック信号を、制御部１４から入力される選択制御信号Ｂに応じて位相クロック信号Ｃ１〜Ｃ７１および基準クロック信号Ａのなかから選択する。ここで、選択制御信号Ｂは、位相クロック信号Ｃ１〜Ｃ７１および基準クロック信号Ａのうち何れのクロック信号を回路ブロック２０ａ〜２０ｎに供給するのかを位相クロック選択部１３ａ〜１３ｎの各々に対して個別に指定するための信号である。
なお、位相クロック選択部１３ａ〜１３ｎの総数は、回路ブロック２０ａ〜２０ｎの総数に応じたものであって自由に設定可能である。
【００３７】
制御部１４は、クロック信号供給装置１０に接続されたＰＣ５から入力される指示信号に基づいて選択制御信号Ｂを生成し、当該選択制御信号Ｂを位相クロック選択部１３ａ〜１３ｎの各々に供給する。制御部１４は、現在供給中の選択制御信号Ｂによって表される内容（すなわち、回路ブロック２０ａ〜２０ｎの各々に対する位相クロック信号Ｃ１〜Ｃ７１および基準クロックＡの供給パターン。）を記憶する旨の指示がＰＣ５から入力されると、当該供給パターンを（以下、クロック信号供給パターンという。）を記憶部１５に記憶する。
【００３８】
制御部１４は、画像処理回路１０２が起動されると、記憶部１５に記憶された上記クロック信号供給パターンに基づいて選択制御信号Ｂを位相クロック選択部１３ａ〜１３ｎの各々に供給する。ここで記憶部１５は、上記クロック信号供給パターンを記憶する。
【００３９】
上記した構成を有するクロック信号供給装置１０では、ＰＣ５を介して、回路ブロック２０ａ〜２０ｎの各々から出力される輻射１ａ〜１ｎの合成波である輻射２が十分に相殺されるクロック信号供給パターンが選択され、当該クロック信号供給パターンデータが記憶部１５に記憶される。したがって、クロック信号供給装置１０は、記憶部１５に記憶された当該クロック信号供給パターンに基づいて各回路ブロック２０ａ〜２０ｎに対し個別にクロック信号を供給するので、電磁波ノイズとなる輻射２が常に十分に相殺可能となる。
【００４０】
次に、画像処理回路１０２に対する上記クロック信号供給パターンの決定法について詳細に説明する。
以下、所定のＥＭＩ測定法に基づき、画像処理回路１０２（あるいは画像処理回路１０２を具備した画像形成装置１００。）に対し、電磁波ノイズとなる輻射２の強度測定を行い、当該測定結果を参照しながら各種指示をＰＣ５を介して制御部１４に入力する。
なお、説明簡略化のため、広く実施されている上記ＥＭＩ測定法についての詳細説明を省略する。
【００４１】
まず、操作者は、種々の選択制御信号Ｂを制御部１４に生成させて位相クロック選択部１３ａ〜１３ｎに供給させ、輻射強度が最も小さい輻射２を観測した場合、当該観測時における選択制御信号Ｂの内容（すなわち、クロック信号供給パターン。）を記憶部１５に記憶する旨の指示を制御部１４に入力する。
【００４２】
この場合、回路ブロック２０ａ〜２０ｎ（すなわち、位相クロック選択部１３ａ〜１３ｎ。）を二つのグループに分け、各グループに対し、位相差が１８０度となる２種類のクロック信号を位相クロック信号Ｃ１〜Ｃ７１および基準クロック信号Ａのなかから選択する。その後、輻射強度の観測結果に基づき、当該２グループに対応する二つのクロック信号間の位相差を位相クロック生成部１２により生成される位相差の一段あるいは数段ずつ１８０度からシフトさせ、あるいは必要に応じて同一グループにおける各クロック信号に対しても同様に一段あるいは数段ずつ個別に位相をシフトさせてクロック信号を変更し、輻射２の強度が最も小さくなるようなクロック信号供給パターンを決定する。
【００４３】
さらに、操作者は、必要に応じて回路ブロック２０ａ〜２０ｎに対し他のグループ分けを行い、上記操作を行って輻射２の強度が最も小さくなるようなクロック信号供給パターンを決定する。その後、操作者は、複数の異なる回路ブロック２０ａ〜２０ｎに対するグループ分けを行って上記クロック信号供給パターンの決定作業を繰り返し、当該複数のグループ分けのなかで輻射２の強度が最も小さくなるグループ分けを行った際のクロック信号供給パターンを最終的なクロック信号供給パターンとして決定し、当該最終決定されたクロック信号供給パターンを記憶部１５に記憶する旨の指示をＰＣ５に入力する。
【００４４】
次に、図３を参照して４つの回路ブロック２０ａ〜２０ｄを備えた画像処理回路１０２ａに対するクロック信号供給パターンの決定処理の一例を説明する。
【００４５】
ここで、回路ブロック２０ａ〜２０ｄに対して各々供給されるクロック信号Ｅ１〜Ｅ４の供給ラインの長さは互いに異なっているものとする。すなわち、クロック信号Ｅ１の供給ラインはクロック信号Ｅ２の供給ラインより長く、クロック信号Ｅ３の供給ラインはクロック信号Ｅ４の供給ラインより長いものとする。
【００４６】
また、クロック信号Ｅ１〜Ｅ４の各々は、位相クロック信号Ｃ１〜Ｃ７１および基準クロック信号Ａのうち何れかであり、位相クロック選択部１３ａ〜１３ｄ（図２参照。）の各々を介して供給される。
【００４７】
なお、画像処理回路１０２ａは、画像処理回路１０２の一例であり、画像処理回路１０２と同一構成部には同一符号を付して説明を省略する。
【００４８】
操作者は、まず、回路ブロック２０ａ〜２０ｄを、回路ブロック２０ａ、２０ｂと回路ブロック２０ｃ、２０ｄとにグループ分けする。ここで、回路ブロック２０ａ、２０ｂによって成るグループを第１グループ、回路ブロック２０ｃ、２０ｄによって成るグループを第２グループと称する。
【００４９】
次に、クロック信号Ｅ１〜Ｅ４を、第１グループにおけるクロック信号Ｅ１、Ｅ２が同一位相のクロック信号になると共に第２グループにおけるクロック信号Ｅ３、Ｅ４が同一位相のクロック信号となるように、さらに、クロック信号Ｅ１、Ｅ２と、クロック信号Ｅ３、Ｅ４との位相差が１８０度となるように、位相クロック信号Ｃ１〜Ｃ７１および基準クロックＡのなかから決定する。
【００５０】
その後、輻射２の強度を観測しながら、当該輻射強度が最も小さくなるように、クロック信号Ｅ１〜Ｅ４の各々を位相クロック信号Ｃ１〜Ｃ７１および基準クロック信号Ａのなかから選択する。
【００５１】
ここで、クロック信号Ｅ１〜Ｅ４の各供給ラインの長さが上記したように互いに異なっているため、クロック信号Ｅ１〜Ｅ４の各々は、さらに位相差の調整が行われ、例えば、図４に示すような位相の場合に輻射２の強度が最も小さくなる。
すなわち、クロック信号Ｅ１、Ｅ２は同一グループ内のクロック信号であるが、クロック信号Ｅ１の供給ラインがクロック信号Ｅ２の供給ラインに比べて長いので各回路ブロック２０ａ、２０ｂに到るまでにクロック信号に位相差（以下、供給ライン位相差という。）が生じる。このため、クロック信号Ｅ１の位相とクロック信号Ｅ２の位相との間に図中符号Ｄ１に示す分だけ予め位相差を設けて当該供給ライン位相差を解消させる。同様に、クロック信号Ｅ３、Ｅ４は同一グループ内のクロック信号であるが、クロック信号Ｅ３の供給ラインがクロック信号Ｅ４の供給ラインに比べて長いので各回路ブロック２０ｃ、２０ｄに到るまでにクロック信号に供給ライン位相差が生じる。このため、クロック信号Ｅ３の位相とクロック信号Ｅ３の位相との間に図中符号Ｄ２に示す分だけ予め位相差を設けて当該供給ライン位相差を解消させる。
【００５２】
操作者は、上記操作を実行することにより図４に示す位相を有するクロック信号Ｅ１〜Ｅ４を位相クロック信号Ｃ１〜Ｃ７１および基準クロック信号Ａのなかから選択してクロック信号供給パターンを決定し、当該クロック信号供給パターンデータを記憶部１５に記憶する旨の指示をＰＣ５に入力する。
【００５３】
したがって、画像処理回路１０２は、記憶部１５に記憶された当該クロック信号供給パターンに基づいてクロック信号Ｅ１〜Ｅ４を回路ブロック２０ａ〜２０ｄの各々に供給するので、輻射２の強度が十分に低減化され、ＥＭＩ問題の解決が図られる。
【００５４】
以上説明したように、クロック信号供給装置１０は、複数位相のクロック信号を供給する位相クロック生成部１２と、回路ブロック２０ａ〜２０ｎの各々に供給するクロック信号を当該複数位相のクロック信号の中から各々個別に選択するための位相クロック選択部１３ａ〜１３ｎとを備える。
【００５５】
したがって、画像処理回路１０２から輻射１ａ〜１ｎが電磁波ノイズとして自由空間に放射されるが、これら輻射１ａ〜１ｎを合成した輻射２の強度が小さくなるように回路ブロック２０ａ〜２０ｎに供給するクロック信号の位相が個別に調整されるので、輻射２が十分に相殺可能となり、画像処理回路１０２から放射される電磁波ノイズが十分に低減化されてＥＭＩ問題の解決が図られる。
【００５６】
なお、本実施の形態における記述は、本発明に係るクロック信号供給方法、クロック信号供給装置および画像形成装置の一例を示すものであり、これに限定されるものではない。本実施の形態におけるクロック信号供給装置１０および画像形成装置１００の細部構成及び詳細動作に関しては、本発明の趣旨を逸脱しない範囲で適宜変更可能である。
【００５７】
例えば、クロック信号供給装置１０は、画像処理回路１０２および画像形成装置１００に適用されるとして説明したが、それに限らず、クロック信号供給装置１０は他の如何なる電子機器（例えば、携帯電話やコンピュータ等）に対しても適用可能である。
【００５８】
【発明の効果】
本発明によれば、各回路ブロック毎にクロック信号の位相を調整し当該回路ブロック毎に生じる電磁波ノイズを相殺するので、電磁波ノイズが十分に抑制されてＥＭＩ問題の解決が図られる。
さらに、クロック信号の周波数を変化させずに位相のみを変化させるので、クロック周期の変化が電子機器動作に影響を及ぼすような電子機器に対しても適用できる。
さらに、高調波成分に対する減衰処理を行わずクロック信号にエッジ傾斜を生じさせないので、当該クロック信号のエッジ傾斜が原因となる誤動作が回避できる。
【図面の簡単な説明】
【図１】本発明を適用した画像形成装置の内部構成を示すブロック図である。
【図２】図１に示す画像処理回路の内部構成を示すブロック図である。
【図３】図１に示す画像処理回路の内部構成の一例を示すブロック図である。
【図４】図３に示す画像処理回路内で供給されるクロック信号のタイミングチャートである。
【符号の説明】
１０  クロック信号供給装置
１１  基準クロック信号出力部
１２  位相クロック生成部
１３ａ〜１３ｎ  位相クロック選択部
１４  制御部
１５  記憶部
２０ａ〜２０ｎ  回路ブロック
１００  画像形成装置
１０１  ＣＰＵ
１０２、１０２ａ  画像処理回路
１０３  画像メモリ
１０４  スキャナ
１０５  プリンタ
１０６  ＦＡＸ
１０７  通信Ｉ／Ｆ
【図１】
2004164293.tif 000003
【図２】
2004164293.tif 000004
【図３】
2004164293.tif 000005
【図４】
2004164293.tif 000006